(57)【要約】【課題】操作部にてラチェット歯体に係止爪体をかみ合わせて巻き取り方向回転は許容するがその逆回転は阻止する構成が採られている。しかし、大きな魚釣り用の魚釣り用リールでは強度確保のためにラチェット歯の本数増加はかなり制限され、ラチェット歯相互の間隔が広くなり、正逆転可能状態から逆転防止状態に切り換えたとき、爪がラチェット歯に噛み合うまでの時間遅れが生じる。本発明は、即応感が得られると共に安定した動作の逆転防止機構を提供する。【解決手段】操作部の操作に基づきハンドルの回転に基づき回転する回転体に取り付けたラチェット歯体に対して係止状態と離脱状態とに切り換えられる第１係止爪体及び第２係止爪体を設け、係止状態では第１係止爪体と第２係止爪体の何れか一方がラチェット歯の上に載り他方がラチェット歯相互間に嵌る関係に構成したことを特徴とする魚釣り用リール。【選択図】　　　図１
2004073007.tif 000002
【特許請求の範囲】
【請求項１】
リール本体に回転可能に支持したハンドルの回転に基づき竿先側からスプールに釣り糸を巻き取る魚釣り用リールにおいて、前記リール本体に取り付けた操作部と、複数のラチェット歯を等角度ピッチに備え前記ハンドルの回転に基づき回転する回転体に取り付けたラチェット歯体と、バネにて前記ラチェット歯体へ向けて付勢されていて前記操作部の操作に基づき前記ラチェット歯に対して係止状態と離脱状態とに切り換えられる複数の係止爪体を設け、前記離脱状態では全ての前記係止爪体の係止爪が前記ラチェット歯との噛み合いから外れた状態にあり、前記係止状態において前記複数の係止爪体の何れか一つが前記ラチェット歯に噛み合って前記回転体の逆回転阻止状態となるように前記ラチェット歯体の回転に対する前記係止爪体の係止爪間ピッチを前記ラチェット歯のピッチよりも実質的に小さく設定したことを特徴とする魚釣り用リール。
【請求項２】
リール本体に回転可能に支持したハンドルの回転に基づきロータが回転して竿先側からスプールに釣り糸を巻き取る魚釣り用リールにおいて、前記リール本体に回動操作可能に取り付けた操作部と、前記ハンドルの回転に基づき回転する回転体に取り付けた一方向クラッチと、外周に複数のラチェット歯を等角度ピッチに備え前記一方向クラッチの外周に取り付けたラチェット歯体と、バネにて前記ラチェット歯体へ向けて付勢されていて前記操作部の回動操作に基づき前記ラチェット歯に対して係止状態と離脱状態とに同時切り換えの第１係止爪体及び第２係止爪体を設け、前記離脱状態では前記第１係止爪体の係止爪と前記第２係止爪体の係止爪の双方が前記ラチェット歯との噛み合いから外れた状態にあり、前記係止状態において前記第１係止爪体の係止爪と前記第２係止爪体の係止爪の何れか一方が前記ラチェット歯の上に載り他方が前記ラチェット歯に噛み合って前記回転体の逆回転阻止状態となるように前記ラチェット歯体の回転に対する前記係止爪体の係止爪間ピッチを前記ラチェット歯のピッチよりも実質的に小さく設定したことを特徴とする魚釣り用リール。
【発明の詳細な説明】
【０００１】
【発明の属する技術分野】
本発明は、魚釣り用リールに関し、特に、リールの回転を逆転防止状態と逆転可能状態とに切り換えられるものに関する。
【０００２】
【従来の技術】
竿先からスプールに釣り糸を巻き取るために種々の回転体が設けられている。例えば、スピニングリールにおいては、竿先からスプールに釣り糸を巻き取る動作において、前後方向に往復運動するスプールの周囲を回転体であるロータが回転することによって、竿先から釣り糸を引き寄せつつ釣り糸をスプールの周りに巻き取る。
【０００３】
このスピニングリールにおいて、ロータの回転がスプールに釣り糸を巻き取る巻き取り方向のみの場合には、魚に釣り針が引っ掛かった状態（合わせ状態）や釣り針が他の障害物に引っ掛かった状態等において、釣り糸を緊張状態を保ちつつ竿先方向へ繰り出すように操作することができなくなる。このため、通常のリールにおいては、切り換え装置によって、リールの回転をスプールに釣り糸を巻き取る回転である正転は許容するがその逆方向の回転である逆転を阻止する逆転防止状態と、この逆回転を許容して正逆転可能状態とに切り換えられる構成としている。
【０００４】
このような切り換え装置は、リール本体に回動操作可能に取り付けた操作部と、外周に等角度間隔でもってラチェット歯を形成したラチェット歯体とそれに噛み合う爪を有する係止爪体との組み合わせを備え、釣り糸巻き取り時には、操作部を回動操作することによって、この爪がラチェット歯に噛み合い状態となって、巻き取り方向回転（正回転）は許容するが逆回転は阻止する逆転防止状態とする構成が採られている。
【０００５】
この場合、爪とラチェット歯との噛み合わせ動作の精度や、爪とラチェット歯との強度等を考慮してラチェット歯の本数はあまり多くできない。特に大きな魚釣り用に設計する魚釣り用リールにおいては、強度確保のためにラチェット歯の本数増加はかなり制限され、ラチェット歯の歯相互の間隔が広くなる。そのために、正逆転可能状態から逆転防止状態に切り換えたとき、爪がラチェット歯に噛み合うまでの遊びによって若干の時間遅れが生じる。この時間遅れは、釣り人に対して即応感が得られない機構の印象を与え、不快感を与える魚釣り用リールとなる。
【０００６】
また、両軸型魚釣り用リールにおいても、切り換え装置によって、スプールの回転を釣り糸巻き取り正回転状態と、その逆方向回転可能状態とに切り換える構成となり、その切り換え装置として、上記のようなラチェット歯を形成したラチェット歯体とそれに噛み合う爪との組み合わせ構成が採用され、この場合も上記同様の問題が生じる。
【０００７】
【発明が解決しようとする課題】
本発明は、これらの点に鑑みて、正逆転可能状態から逆転を防止した正回転状態に切り換えたとき、爪がラチェット歯に噛み合う即応感が得られる魚釣り用リールを提供する。また、ハンドルの回転に基づき回転する回転体に取り付けた一方向クラッチとの協働によって、逆転防止動作が的確に行える魚釣り用リールを提供するものである。
【０００８】
【課題を解決するための手段】
本発明の魚釣り用リールは、リール本体に回転可能に支持したハンドルの回転に基づき竿先側からスプールに釣り糸を巻き取る魚釣り用リールにおいて、前記リール本体に取り付けた操作部と、複数のラチェット歯を等角度ピッチに備え前記ハンドルの回転に基づき回転する回転体に取り付けたラチェット歯体と、バネにて前記ラチェット歯体へ向けて付勢されていて前記操作部の操作に基づき前記ラチェット歯に対して係止状態と離脱状態とに切り換えられる複数の係止爪体を設け、前記離脱状態では全ての前記係止爪体の係止爪が前記ラチェット歯との噛み合いから外れた状態にあり、前記係止状態において前記複数の係止爪体の何れか一つが前記ラチェット歯に噛み合って前記回転体の逆回転阻止状態となるように、ラチェット歯体の回転に対する各係止爪体の係止爪間ピッチをラチェット歯のピッチよりも実質的に小さく設定している。
【０００９】
これによって、ラチェット歯相互の間隔を広くして強度確保をしても、逆転防止状態に切り換えたとき、爪とラチェット歯との噛み合いが速やかであり、遊びが少なく制限され、即応感のある魚釣り用リールとなる。
【００１０】
また、本発明の魚釣り用リールは、リール本体に回転可能に支持したハンドルの回転に基づきロータが回転して竿先側からスプールに釣り糸を巻き取る魚釣り用リールにおいて、前記リール本体に回動操作可能に取り付けた操作部と、前記ハンドルの回転に基づき回転する回転体に取り付けた一方向クラッチと、外周に複数のラチェット歯を等角度ピッチに備え前記一方向クラッチの外周に取り付けたラチェット歯体と、バネにて前記ラチェット歯体へ向けて付勢されていて前記操作部の回動操作に基づき前記ラチェット歯に対して係止状態と離脱状態とに同時切り換えの第１係止爪体及び第２係止爪体を設け、前記離脱状態では前記第１係止爪体の係止爪と前記第２係止爪体の係止爪の双方が前記ラチェット歯との噛み合いから外れた状態にあり、前記係止状態において前記第１係止爪体の係止爪と前記第２係止爪体の係止爪の何れか一方が前記ラチェット歯の上に載り他方が前記ラチェット歯に噛み合って前記回転体の逆回転阻止状態となるように、ラチェット歯体の回転に対する各係止爪体の係止爪間ピッチをラチェット歯のピッチよりも実質的に小さく設定している。
【００１１】
これによって、ラチェット歯相互の間隔を広くして強度確保をしても、逆転防止状態に切り換えたとき、係止爪とラチェット歯との噛み合いが速やかであり、遊びが少なく制限され、即応感のある魚釣り用リールとなる。そして、一方向クラッチとの協働によって、正逆転可能状態と逆転防止状態とに切り換え可能となり、逆転防止動作が的確に行える魚釣り用リールとなる。更に、一方向クラッチのアウターリングをリール本体に固定したものに比して、正逆転可能状態においてハンドルを回す抵抗感が少なくなる。
【００１２】
【発明の実施の形態】
図１乃至図５は本発明の魚釣り用リールの実施形態を示しており、図１は本発明のラチェット歯と第１係止爪体及び第２係止爪体との関係を示す正面図、図２の（イ）（ロ）（ハ）は本発明のラチェット歯と第１係止爪体及び第２係止爪体との係脱関係を示す説明図、図３は部分断面の本発明魚釣り用リールの側面図、図４は本発明のラチェット歯と第１係止爪体及び第２係止爪体との関係を示す側面図、図５の（イ）（ロ）（ハ）は本発明の他の実施形態に係るラチェット歯と第１係止爪体及び第２係止爪体との係脱関係を示す説明図である。
【００１３】
以下、本発明の実施形態を図に基づき説明する。図に示す本発明の魚釣り用リール１は、スピニングリールと称されるものである。リール本体１０に設けた横方向軸１１に取り付けられた手動式ハンドルが、リール本体１０の側面に配置されている。このハンドルを回すことによってリール本体１０に対して軸１１を中心に回転可能に設けた円盤状のドライブギア１２が回転する。また電動式の場合は直流電動機によって円盤状のドライブギア１２が回転する。ドライブギア１２の回転によってドライブギア１２に噛み合ったピ二オンギア１３が回転する。ピ二オンギア１３は、その延長軸部１３Ａがリール本体１０にベアリング１４を介して回転可能に取り付けられ、この延長軸部１３Ａの先端部にナット１５によってロータ２が固定されている。ベアリング１４は、リール本体１０の前面部３３の前面から頭つきのネジ３２によって押さえられた状態に保持される。
【００１４】
リール本体１０にはピ二オンギア１３とその延長軸部１３Ａを貫通して前後方向に延びた主軸６が設けられ、釣り糸４を巻き取るためのスプール３が主軸６の先端部に取り付けられて、リール本体１０の前方部にスプール３が位置する。これによって、ロータ２とスプール３とは同軸上に保たれる。ピ二オンギア１３と延長軸部１３Ａに対して主軸６は回転不能にして前後方向に往復動可能に設けられ、ロータ２の回転に同期して主軸６が前後方向に往復運動する構成であり、スプール３もそれに伴って前後方向に往復運動する。
【００１５】
ロータ２には主軸６を中心として略対称位置にロータ２に回動可能な支持腕５Ａ，５Ｂが設けられ、一方の支持腕５Ａには、竿先からスプール３に巻き取られる釣り糸が当接して回転するように、案内ローラ８が回転可能に軸支持されている。支持腕５Ａ側とは反対側でこの案内ローラ８の端部を覆う部材４と支持腕５Ｂとに渡ってベール７が設けられている。ベールはベイルとも称する。
【００１６】
上記ハンドル又は電動機によるドライブギア１２の回転によってピ二オンギア１３が回転し、ピ二オンギア１３の延長軸部１３Ａに取り付けたロータ２が回転する。これと共にロータ２の回転に同期して主軸６が前後方向に往復運動するため、それに伴ってスプール３も前後方向に往復運動する。
【００１７】
釣り糸繰り出し状態では、ベール７と案内ローラ８は、スプール３から繰り出される釣り糸４の繰り出し通路外に位置して釣り糸に接触しない状態をとる。そして、釣り人がベール７と案内ローラ８を釣り糸巻き取り状態へ回動することによって、ベール７と案内ローラ８は、スプール３から竿先へ繰り出された釣り糸の繰り出し通路へ侵入し、それによって、釣り糸がベール７に接触する。この状態で、釣り糸４を竿先からスプール３に巻き取るために、前記ハンドル又は電動機によってロータ２が釣り糸の巻き取り方向へ回転することによって、釣り糸はベール７に接触しつつベール７の湾曲形状に沿って案内ローラ８へ導かれ、釣り糸は案内ローラ８の釣り糸案内周溝９に導入される。この状態で、釣り糸の巻き取り方向へのロータ２の回転によって、釣り糸はスプール３に巻き取られる。
【００１８】
本発明では、ロータ２の回転方向を正逆転可能状態と逆転防止状態とに切り換える切り換え装置２０を設けている。この切り換え装置２０は、リール本体１０に回動操作可能に取り付けた操作部（操作レバーまたはアンチリバースレバーとも称する）２１と、前記ハンドル又は電動機の回転に基づき回転する回転体の一種である延長軸部１３Ａに取り付けた一方向クラッチ２２と、外周に複数のラチェット歯２４を等間隔に備え一方向クラッチ２２の外周に取り付けたラチェット歯体２３と、操作部２１の回動操作に基づきラチェット歯２４に対して係止状態と離脱状態とに同時切り換えされる第１係止爪体２５及び第２係止爪体２６を設けている。そして、前記離脱状態では第１係止爪体２５と第２係止爪体２６の双方がラチェット歯２４との噛み合いから外れた状態にあり、前記係止状態では第１係止爪体２５と第２係止爪体２６の何れか一方がラチェット歯２４の上に載り他方がラチェット歯２４相互間に嵌る関係に構成している。
【００１９】
このような構成の一つである第１の実施形態では、図１乃至図４に示すように、第１係止爪体２５の係止爪２５Ａと第２係止爪体２６の係止爪２６Ａは、ラチェット歯２４の角度間隔（ピッチ）Ｔ１よりも小さい角度間隔（ピッチ）Ｔ２でもってラチェット歯２４に対応配置されている。そして、前記離脱状態では第１係止爪体２５の係止爪２５Ａと第２係止爪体２６の係止爪２６Ａの双方がラチェット歯２４との噛み合いから外れた状態にあり、前記係止状態では第１係止爪体２５の係止爪２５Ａと第２係止爪体２６の係止爪２６Ａの何れか一方がラチェット歯２４の上に載り他方がラチェット歯２４に係止する構成である。
【００２０】
リール本体１０の前面部３３の前面に張り出した軸３１に第１係止爪体２５と第２係止爪体２６が回動可能に支持され、第１係止爪体２５と第２係止爪体２６の前方への飛び出しは、軸３１の前端に螺合した取り付けネジ３４によって防止される構成である。第１係止爪体２５は、一端が第１係止爪体２５に係止し他端が前面部３３の前面に張り出した突起３６に係止したバネ３５によって、係止爪２５Ａが常時ラチェット歯体２３へ向けて付勢されている。また、第２係止爪体２６は、一端が第２係止爪体２６に係止し他端が前面部３３の前面に張り出した突起３６に係止したバネ３７によって、係止爪２６Ａが常時ラチェット歯体２３へ向けて付勢されている。
【００２１】
操作部２１の回動操作に基づき、ラチェット歯２４に対して第１係止爪体２５と第２係止爪体２６が係止状態と離脱状態とに同時に切り換わるために、操作部２１からリール本体１０の前方へ延びた操作軸２７がリール本体１０に回動可能に支持されている。そして、第１係止爪体２５と第２係止爪体２６の若干後方位置には、第１係止爪体２５と第２係止爪体２６を前記係止状態と離脱状態とに切り換えるためのカム２８が操作軸２７に固定状態に取り付けられている。
【００２２】
操作部２１は、図３に示すように、第１係止爪体２５と第２係止爪体２６のいずれか一方がラチェット歯体２３に係止する前記係止状態（ＯＮ状態）とその係止から離脱する離脱状態（ＯＦＦ状態）とにおいて安定させる装置３８を備えており、操作部２１の回動に伴うカム２８の回動によって、カム２８の前面に突出したピン２９によって第１係止爪体２５と第２係止爪体２６が前記係止状態（ＯＮ状態）と離脱状態（ＯＦＦ状態）とに切り換えられる。
【００２３】
一方向クラッチ２２の取り付け構造は、延長軸部１３Ａの外周面の一部分に形成した軸方向の平坦部にカラー５０の内面の平坦部が嵌合する、所謂、すり割構造による嵌め合わせによって、このカラー５０が回転不能状態に組み合わされ、このカラー５０の外周に一方向クラッチ２２が嵌合している。ラチェット歯体２３は、一方向クラッチ２２の外周に取り付けるために、ラチェット歯体２３は一方向クラッチ２２のアウターリング２２Ａと圧入嵌合等にて回り止め状態に取り付けられている。一方向クラッチ２２は、カラー５０とアウターリング２２Ａとの間の円周空間に複数のコロが等間隔に配置されていて、一方向には回転を許容するが、反対方向への回転は、このコロがカラー５０とアウターリング２２Ａとの間に楔状に噛み合うことによって阻止される構成である。
【００２４】
このような構成において、図２を参照して切り換え動作を説明する。操作部２１を図３のＯＦＦ状態、即ち２１Ｂの状態に回動すると、操作部２１の回動に伴ってカム２８が回動し、そのピン２９による押し圧によって、第１係止爪体２５と第２係止爪体２６がバネ３５、３７に抗して回動し、第１係止爪体２５の係止爪２５Ａと第２係止爪体２６の係止爪２６Ａの双方がラチェット歯２４との噛み合いから外れた状態となる。この状態は、図２の（ハ）及び図１の状態である。この状態では、バネ３５、３７の中間部が軸３１に当接して湾曲することによって、バネ３５、３７のバネ力が蓄積される。
【００２５】
このように、操作部２１が図３のＯＦＦ状態にあれば、第１係止爪体２５の係止爪２５Ａと第２係止爪体２６の係止爪２６Ａの双方がラチェット歯２４との噛み合いから外れた状態となり、一方向クラッチ２２のアウターリングの拘束はない。一方向クラッチ２２は、前述のように、一方向には回転を許容するが、反対方向への回転は阻止する構成である。しかし、アウターリングが拘束されない場合には、この一方向クラッチ２２内のコロ及びその周辺構造による抵抗によって、延長軸部１３Ａの正逆回転に伴って一方向クラッチ２２のアウターリングが正逆回転する。このため、前記ハンドル等の正逆回転に基づき、ピ二オンギア１３の正逆回転と共に延長軸部１３Ａが正逆回転し、一方向クラッチ２２のアウターリングの拘束はないので、このアウターリングが正逆回転し、そのアウターリングに取り付けたラチェット歯体２３が正逆回転できる。
【００２６】
この正逆回転可能状態では、延長軸部１３Ａと共にロータ２が正逆回転可能であるため、竿先からスプール３への釣り糸の巻き取り方向（正回転方向）と、スプール３から竿先へ向けて釣り糸を繰り出す方向（逆回転方向）との何れの方向への回転も許容される。この正逆回転可能状態を利用するときは、釣り糸が障害物に引っ掛かった状態、即ち、根がかりのとき釣り糸を繰り出して操作する場合や、釣り糸を巻き取り過ぎて釣り糸の先に取り付けた仕掛けが竿先にくっついたときに、釣り糸を繰り出して仕掛けを竿先から離す場合等である。
【００２７】
次に、操作部２１を図３のＯＮ状態、即ち２１Ａの状態とする。この状態は、操作部２１の回動に伴ってカム２８が回動し、そのピン２９による押し圧から解除された第１係止爪体２５と第２係止爪体２６は、バネ３５、３７の付勢によって第１係止爪体２５の係止爪２５Ａと第２係止爪体２６の係止爪２６Ａの双方がラチェット歯２４に噛み合う方向へ回動する。本発明では、第１係止爪２５Ａと第２係止爪２６ＡのピッチＴ２はラチェット歯２４のピッチＴ１よりも小さく設定され、第１係止爪２５Ａと第２係止爪２６Ａのいずれか一方がラチェット歯２４相互間の谷間に嵌る関係に形成しているため、図２の（イ）又は（ロ）の状態へ移行する。
【００２８】
図２の（イ）の状態は、第１係止爪２５Ａがラチェット歯２４相互間の谷間に落ち込んでラチェット歯２４に係止し、第２係止爪２６Ａがラチェット歯２４の上に乗った状態である。また、図２の（ロ）の状態は、第２係止爪２６Ａがラチェット歯２４相互間の谷間に落ち込んでラチェット歯２４に係止し、第１係止爪２５Ａがラチェット歯２４の上に乗った状態である。
【００２９】
このような動作は、第１係止爪２５Ａと第２係止爪２６ＡのピッチＴ２をラチェット歯２４のピッチＴ１の半分または略半分程度に形成することによって、図２の（ハ）の状態から図２の（イ）又は（ロ）の状態への移行がスムースに行える。上記実施形態では、ラチェット歯２４の角度間隔（ピッチ）Ｔ１は３０°であり、第１係止爪２５Ａと第２係止爪２６ＡのピッチＴ２は１５°に構成している。
【００３０】
このように、正逆回転可能状態から操作部２１を図３のＯＮ状態とすれば、第１係止爪２５Ａと第２係止爪２６Ａのいずれか一方がラチェット歯２４に係止すると共に、ラチェット歯体２３とピ二オンギア１３の延長軸部１３Ａとは一方向クラッチ２２によって、図２及び後述の図５においてラチェット歯体２３が反時計方向へ回転することの阻止、即ち逆回転が阻止される。この状態では、ハンドル等の正回転に基づきピ二オンギア１３の正回転と共に延長軸部１３Ａが正回転することはできるが、逆方向回転は阻止された状態である。この正回転は、竿先からスプール３への釣り糸の巻き取り方向回転である。
【００３１】
このように、操作部２１が図３のＯＮ状態、即ち２１Ａの状態にあるとき、前記ハンドルの回転は逆転防止状態であり、ロータ２の回転は逆転防止状態である。また、前記電動機による場合も同様に、ロータ２の回転は逆転防止状態である。この操作部２１が図３のＯＮ状態では、前記ハンドルの回転は正回転可能状態であり、釣り糸の巻き取りは可能である。
【００３２】
上記のことから明らかなように、従来のように、ラチェット歯体に対して一つの係止爪体を設け、この双方のみで噛み合う構成である場合、例えば、ラチェット歯体２３と第１係止爪体２５との組み合わせである場合には、ハンドルの回動操作によって、ラチェット歯体２３が最大、ラチェット歯２４のピッチＴ１だけ回動しなければ係止爪２５Ａがラチェット歯２４に係止しないので、遊びが大きな構成となる。ラチェット歯体２３と第２係止爪体２６との組み合わせである場合も同様である。しかし、本発明では、ハンドルの回動操作も略その半分の回動によって第１係止爪２５Ａと第２係止爪２６Ａのいずれか一方がラチェット歯２４相互間の谷間に嵌るので、従来のものに比して遊びが略半分と少ない状態となる。
【００３３】
図５には、本発明の他の実施形態における切り換え動作状態を示している。この構成では、第１係止爪体２５と第２係止爪体２６は、ラチェット歯体２３の周囲に離間した状態で配置されている。即ち、第１係止爪体２５と第２係止爪体２６は、それぞれ前面部３３の前面に張り出した軸３１Ａ、３１Ｂに回動可能に支持され、第１係止爪体２５と第２係止爪体２６の前方への飛び出しは、それぞれ軸３１Ａ、３１Ｂの前端に螺合した取り付けネジ３４Ａ、３４Ｂによって防止される構成である。第１係止爪体２５は、一端が第１係止爪体２５に係止し他端が前面部３３の前面に張り出した突起３６Ａに係止したバネ３５によって、係止爪２５Ａが常時ラチェット歯体２３へ向けて付勢されている。また、第２係止爪体２６は、一端が第２係止爪体２６に係止し他端が前面部３３の前面に張り出した突起３６Ｂに係止したバネ３７によって、係止爪２６Ａが常時ラチェット歯体２３へ向けて付勢されている。
【００３４】
このような構成において、図５を参照して切り換え動作を説明する。操作部２１が図３に示すＯＦＦ状態、即ち２１Ｂの状態に回動すると、操作部２１の回動に伴ってカム２８が回動し、そのピン２９Ａ、２９Ｂによる押し圧によって、第１係止爪体２５と第２係止爪体２６がバネ３５、３７に抗して回動し、第１係止爪体２５の係止爪２５Ａと第２係止爪体２６の係止爪２６Ａの双方がラチェット歯２４との噛み合いから外れた状態となる。この状態は、図５の（ハ）の状態である。この状態では、バネ３５、３７の中間部がそれぞれ軸３１Ａと軸３１Ｃに当接して湾曲することによって、バネ３５、３７のバネ力が蓄積される。軸３１Ｃは前面部３３の前面に張り出し、その前端に螺合した取り付けネジ３４Ｃによって、バネ３５が外れないような鍔部を形成している。
【００３５】
このように操作部２１が図３のＯＦＦ状態にあるとき、即ち２１Ｂの状態にとき、前述同様に、一方向クラッチ２２による拘束がなく、前記ハンドルの回転は正逆両回転が可能な状態であり、ロータ２の回転方向は正逆転可能状態である。また、前記電動機による場合も同様にロータ２の回転方向は正逆転可能状態である。
【００３６】
次に、上記釣り糸巻き取り状態、即ち、スプール３へ釣り糸を巻き取るがその逆方向回転は阻止される逆転阻止状態とするためには、操作部２１を図３のＯＮ状態、即ち２１Ａの状態とする。この状態は、操作部２１の回動に伴ってカム２８が回動し、そのピン２９Ａ、２９Ｂによる押し圧から解除された第１係止爪体２５と第２係止爪体２６は、バネ３５、３７の付勢によって第１係止爪体２５の係止爪２５Ａと第２係止爪体２６の係止爪２６Ａの双方がラチェット歯２４と噛み合う方向へ回動する。第１係止爪２５Ａと第２係止爪２６Ａのピッチは、実質的に、ラチェット歯体２３がラチェット歯２４のピッチよりも小さい角度の回転において、第１係止爪２５Ａと第２係止爪２６Ａのいずれか一方がラチェット歯２４相互間の谷間に嵌ってラチェット歯２４に係止する関係に形成しているため、図５の（イ）又は（ロ）の状態となる。
【００３７】
図５の（イ）の状態は、第１係止爪２５Ａがラチェット歯２４相互間の谷間に落ち込んでラチェット歯２４に係止し、第２係止爪２６Ａがラチェット歯２４の上に乗った状態である。また、図５の（ロ）の状態は、第２係止爪２６Ａがラチェット歯２４相互間の谷間に落ち込んでラチェット歯２４に係止し、第１係止爪２５Ａがラチェット歯２４の上に乗った状態である。
【００３８】
このような動作は、ラチェット歯２４に対して係止状態と離脱状態とに切り換えられる第１係止爪２５Ａと第２係止爪２６ＡのピッチＴ２を、前記離脱状態では両係止爪体２５Ａ、２６Ａの係止爪がラチェット歯２４との噛み合いから外れた状態にあり、係止状態において両係止爪体２５Ａ、２６Ａの係止爪の何れか一つがラチェット歯２４に噛み合って回転体の逆回転阻止状態となるように、ラチェット歯２４のピッチＴ１に対して小さく設定したことによって、図５の（ハ）の状態から図５の（イ）又は（ロ）の状態への移行がスムースに行える。図５の実施形態では、ラチェット歯２４の角度間隔（ピッチ）Ｔ１は３０°であり、第１係止爪２５Ａと第２係止爪２６ＡのピッチＴ２は１０５°であり、ピッチＴ１の半分である１５°の奇数の整数倍である７倍の構成である。即ち、第１係止爪２５Ａと第２係止爪２６Ａのピッチは、実質的に、ラチェット歯体２３がラチェット歯２４のピッチＴ１よりも小さい角度の回転でもって、第１係止爪２５Ａと第２係止爪２６Ａのいずれか一方がラチェット歯２４相互間の谷間に嵌ってラチェット歯２４に係止する関係である。
【００３９】
このように、操作部２１が図３のＯＮ状態、即ち２１Ａの状態にあるとき、前述と同様に、一方向クラッチ２２による拘束を伴って、ロータ２の回転は、逆転防止状態である。また、前記電動機による場合も同様に、ロータ２の回転は逆転防止状態である。この逆転防止状態では、前記ハンドルによる正方向回転は許容されるが逆転防止状態であり、ロータ２の回転は、前記ハンドルの回転によって正回転可能状態であり、釣り糸の巻き取りは可能である。
【００４０】
このことから明らかなように、従来のように、ラチェット歯体に対して一つの係止爪体が噛み合う構成である場合、例えば、ラチェット歯体２３と第１係止爪体２５との組み合わせである場合には、ハンドルの回動操作によって、ラチェット歯体２３が最大、ラチェット歯２４のピッチＴ１だけ回動しなければ係止爪２５Ａがラチェット歯２４に係止しないので、遊びが大きな構成となる。ラチェット歯体２３と第２係止爪体２６との組み合わせである場合も同様である。しかし、本発明では、ハンドルの回動操作も略その半分の回動によって第１係止爪２５Ａと第２係止爪２６Ａのいずれか一方がラチェット歯２４相互間の谷間に嵌るので、従来のものに比して遊びが略半分と少ない状態となる。
【００４１】
上記から明らかなように、各係止爪のピッチＴ２がラチェット歯２４の角度間隔（ピッチ）Ｔ１よりも小さなピッチでずれた状態である。即ち、ラチェット歯体２３の回転に対する各係止爪間ピッチＴ２をラチェット歯２４のピッチＴ１よりも実質的に小さく設定している。このため、第１係止爪２５Ａと第２係止爪２６Ａのピッチは、実質的に、ラチェット歯体２３がラチェット歯２４のピッチＴ１よりも小さい角度の回転でもって、第１係止爪２５Ａと第２係止爪２６Ａのいずれか一方がラチェット歯２４相互間の谷間に嵌ってラチェット歯２４に係止する関係であり、第１係止爪２５Ａと第２係止爪２６Ａのいずれか一方がラチェット歯２４に係止するまでの最大回転角度がラチェット歯２４のピッチＴ１よりも小さい回転角度（上記では略半分）となる。このため、係止爪２５Ａ、２６Ａの何れか一つがラチェット歯２４に係止する関係になるように、各係止爪体の係止爪２５Ａ、２６Ａ相互のピッチをラチェット歯２４相互間のピッチの整数分の一ずつずれた状態に設定すれば、遊びも整数分の一になる。図２及び図５の実施形態では、ラチェット歯２４の角度間隔（ピッチ）Ｔ１に対し、第１係止爪２５Ａと第２係止爪２６ＡのピッチＴ２が、図２ではピッチＴ１の半分の値の１倍のピッチ、また図５ではピッチＴ１の半分の値の７倍のピッチ、というようにピッチＴ１の半分の値の奇数の整数倍の角度間隔（ピッチ）の構成によって、安定した切り換え動作が得られる。即ち、ラチェット歯２４の角度間隔（ピッチ）Ｔ１に対し、第１係止爪２５Ａと第２係止爪２６ＡのピッチＴ２が実質的に二分の一ずつずれた状態にある。
【００４２】
上記の逆転防止状態においても、延長軸部１３Ａとロータ２は前記ハンドルの正回転によって正回転できる。そのために、正回転方向における一方向クラッチ２２内のコロ及びその周辺構造による抵抗よりも、第１係止爪体２５と第２係止爪体２６をラチェット歯体２３に向けて付勢するバネ３５、３７のバネ力を大きく設定している。これによって、上記の逆転防止状態においては、一方向クラッチ２２のアウターリングに取り付けたラチェット歯体２３のラチェット歯２４相互間の谷に落ち込んだ第１係止爪２５Ａ又は第２係止爪２６Ａが、ラチェット歯体２３を押さえるため、一方向クラッチ２２のアウターリングの正回転が拘束された状態となり、延長軸部１３Ａとロータ２は前記ハンドルによって正回転するが、一方向クラッチ２２のアウターリングは正回転しない状態となる。
【００４３】
この逆転防止状態では、前記ハンドルやロータ２に逆回転方向の外力が加わっても、第１係止爪２５Ａまたは第２係止爪２６Ａとラチェット歯２４との係止と共に、一方向クラッチ２２の作用によって、速やかにしかも確実に前記ハンドルやロータ２が逆回転するのを防止できる。
【００４４】
また、操作部２１が図３のＯＮ状態、即ち切り換え装置２０が逆転防止状態において、釣り糸の巻き取り中に、釣り糸の先に取り付けた仕掛けに魚がかかる等によって釣り糸が強く緊張したときにも、第１係止爪２５Ａまたは第２係止爪２６Ａとラチェット歯２４との係止と共に、一方向クラッチ２２の作用によって確実に前記ハンドルやロータ２が逆回転するのを防止できる。
【００４５】
このように、本発明の魚釣り用リールは、第１係止爪体２５及び第２係止爪体２６がバネ３５、３７にてラチェット歯体２３へ向けて付勢されていて操作部２１の回動操作に基づきラチェット歯２４に対して係止状態と離脱状態とに同時に切り換えられる。そして、離脱状態では、第１係止爪体２５の係止爪２５Ａと第２係止爪体２６の係止爪２６Ａの双方がラチェット歯２４との噛み合いから外れた状態にある。また、係止状態において、第１係止爪体２５の係止爪２５Ａと第２係止爪体２６の係止爪２６Ａの何れか一方がラチェット歯２４の上に載り他方がラチェット歯２４に噛み合って回転体である延長軸部１３Ａとロータ２の逆回転が阻止された状態となるように、ラチェット歯体２３の回転に対して、第１係止爪体２５の係止爪２５Ａと第２係止爪体２６の係止爪２６ＡのピッチＴ２をラチェット歯２４のピッチＴ１よりも実質的に小さく設定している。
【００４６】
本発明によって、ラチェット歯２４相互の間隔を広くして強度確保をしても、逆転防止状態に切り換えたとき、係止爪２５Ａ、２６Ａとラチェット歯２４との噛み合いが速やかであり、遊びが制限され、即応感のある魚釣り用リール１となる。そして、一方向クラッチ２２との協働によって、正逆転可能状態と逆転防止状態とに切り換え可能となり、逆転防止動作が的確に行える魚釣り用リール１となる。
【００４７】
更に、操作部２１が図３のＯＦＦ状態のときには、係止爪２５Ａ、２６Ａとラチェット歯２４との噛み合いが外れた状態となるため、ピ二オンギア１３の延長軸部１３Ａと共に一方向クラッチ２２を介してラチェット歯体２３が回転するため、一方向クラッチ２２のアウターリング２２Ａをリール本体１０に固定したものに比して、正逆転可能状態においてハンドルを回す抵抗感が少なくなる。
【００４８】
上記の実施形態では、ラチェット歯体２３に対して係止状態と離脱状態とに切り換えられる係止爪体を第１係止爪体２５と第２係止爪体２６の２個設けた場合であるが、ラチェット歯体２３に対して係止状態と離脱状態とに切り換えられる係止爪体を３個以上設けて同様の効果を奏することができる。この場合、複数の係止爪体の各係止爪のピッチＴ２がラチェット歯２４の角度間隔（ピッチ）Ｔ１よりも小さなピッチでずれた状態とする。例えば、係止爪体を３個設けた場合には、３個の係止爪体をラチェット歯体３の周辺に間隔を保って配置し、操作部２１の回動操作に基づきラチェット歯２４に対して係止状態と離脱状態とに同時に切り換えられるように構成し、係止状態において３個の係止爪体の何れか一つがラチェット歯２４に噛み合って回転体の逆回転阻止状態となるように、ラチェット歯体２３の回転に対する各係止爪体の係止爪間ピッチをラチェット歯２４のピッチよりも実質的に小さく設定する。この場合３個の係止爪体の係止爪相互のピッチＴ２が実質的にラチェット歯２４相互間のピッチＴ１の三分の一ずつずれた状態に設定すれば、遊びも三分の一になる。
【００４９】
上記のように、本発明は、バネにてラチェット歯体へ向けて付勢されていて操作部の操作に基づきラチェット歯に対して係止状態と離脱状態とに切り換えられる複数の係止爪体を設け、離脱状態では全ての係止爪体の係止爪がラチェット歯との噛み合いから外れた状態にあり、係止状態において複数の係止爪体の何れか一つがラチェット歯に噛み合って回転体の逆回転阻止状態となるようにラチェット歯のピッチに対して複数の係止爪体の係止爪相互のピッチを設定することにより、ラチェット歯のピッチよりも小さなピッチの回動範囲において逆回転を阻止できる効果が生じる。また、逆転防止状態において、大きな魚がかかったとき等のように強い力が作用して、万一、係止爪体の一つが破損しても他の係止爪体によって逆転防止状態が継続するため、かかった魚が逃げる等の問題も抑制できる。その場合、図５のように複数の係止爪体がそれぞれ別個の軸で支持された構成とすることによって、より安定したものとなる。
【００５０】
上記の実施形態では、ラチェット歯体２３は一方向クラッチ２２の外周に取り付けたが、ハンドルの回転に基づき回転する回転部分であれば同様の構成とすることができる。このため、一方向クラッチ２２は、前記ハンドルの回転に基づき回転する回転体に取り付けた構成であればよい。
【００５１】
また、一方向クラッチ２２を設けずに、ハンドルの回転に基づき回転する回転体に直結的にラチェット歯体を取り付けて、上記のように、離脱状態では全ての係止爪体の係止爪がラチェット歯との噛み合いから外れた状態にあり、係止状態において複数の係止爪体の何れか一つがラチェット歯に噛み合って回転体の逆回転阻止状態となるようにラチェット歯のピッチに対して複数の係止爪体の係止爪相互のピッチを設定することにより、ラチェット歯のピッチよりも小さなピッチの回動範囲において逆回転を阻止できる装置とすることができる。この方式は、両軸型の魚釣り用リールにも適用できる。この方式の場合も、逆回転阻止状態においてハンドルの正回転に基づき回転体を正回転できるように構成している。即ち、係止爪体を付勢するバネのバネ力に抗してラチェット歯体が回転体と共に正回転できるように、このバネのバネ力を所定の強さに設定しており、係止爪体の係止爪がラチェット歯体のラチェット歯を乗り越えるとき、カチカチというような音を発する。
【００５２】
本発明は上記実施形態に限定されるものではなく、特許請求の範囲を逸脱しない部分における種種の実施形態を包含するものである。
【００５３】
【発明の効果】
本発明によれば、ラチェット歯相互の間隔を広くして強度確保をしても、逆転防止状態に切り換えたとき、爪とラチェット歯との噛み合いが速やかであり、遊びが制限され、即応感のある魚釣り用リールとなる。また、逆転防止状態において、大きな魚がかかったとき等のように強い力が作用して、万一、係止爪体の一つが破損しても他の係止爪体によって逆転防止状態が継続するため、かかった魚が逃げる等の問題も抑制できる。その場合、複数の係止爪体がそれぞれ別個の軸で支持された構成とすることによって、より安定したものとなる。
【００５４】
また、ラチェット歯相互の間隔を広くして強度確保をしても、逆転防止状態に切り換えたとき、係止爪とラチェット歯との噛み合いが速やかであり、遊びが制限され、即応感のある魚釣り用リールとなる。そして、一方向クラッチとの協働によって、正逆転可能状態と逆転防止状態とに切り換え可能となり、逆転防止動作が的確に行える魚釣り用リールとなる。更に、一方向クラッチのアウターリングをリール本体に固定したものに比して、正逆転可能状態においてハンドルを回す抵抗感が少なくなる。
【図面の簡単な説明】
【図１】本発明のラチェット歯と第１係止爪体及び第２係止爪体との関係を示す正面図である。
【図２】（イ）（ロ）（ハ）は本発明のラチェット歯と第１係止爪体及び第２係止爪体との係脱関係を示す説明図である。
【図３】部分断面の本発明魚釣り用リールの側面図である。
【図４】本発明のラチェット歯と第１係止爪体及び第２係止爪体との関係を示す側面図である。
【図５】（イ）（ロ）（ハ）は本発明の他の実施形態に係るラチェット歯と第１係止爪体及び第２係止爪体との係脱関係を示す説明図である。
【符号の説明】
１……魚釣り用リール
２……ロータ
３……スプール
６……主軸
７……ベール
１０……リール本体
１２……ドライブギア
１３……ピニオンギア
１３Ａ……ピ二オンギアの延長軸部
２０……切り換え装置
２１……操作部
２２……一方向クラッチ
２３……ラチェット歯体
２４……ラチェット歯
２５……第１係止爪体
２５Ａ……第１係止爪
２６……第２係止爪体
２６Ａ……第２係止爪
２７……操作軸
２８……カム
【図１】
2004073007.tif 000003
【図２】
2004073007.tif 000004
【図３】
2004073007.tif 000005
【図４】
2004073007.tif 000006
【図５】
2004073007.tif 000007